(57)【要約】      （修正有）【課題】市場で広く使用されるコード式カーテンに追加設置でき、設置が簡単で実用性、安全性が向上するカーテン用手動コード巻取り器の構造を提供する。【解決手段】カーテン用手動コード巻取り器の構造において、基台１０とコード巻取りローラーユニット２０、噛合ユニット３０、手回し器４０を含む。基台は、台板１１に位置限定フレーム１２を設置してコード巻取り空間１３を有し、位置限定フレームの下方に組立部１７を設置し、組立部は中空でコード巻取り空間に通じて納置槽１７１を設置し、コード巻取りローラーユニットは、基台のコード巻取り空間内に設置され、当接設置する二個の巻取りローラー２１を含み、噛合ユニットは、基台の組立部内に設置され、受動ギア３２２とコード巻取りローラーユニットが噛合して連動状態を形成し、蓋板部４１と回転ハンドル４２を有し、手回し器によってコード巻取りローラーユニットが連動して回転する手回し器を含む。【選択図】図２
0003221450.tif 000002
【実用新案登録請求の範囲】
【請求項１】
基台とコード巻取りローラーユニット、噛合ユニット、手回し器を含むカーテン用手動コード巻取り器の構造において、
台板にひょうたん状の位置限定フレームを設置し、該位置限定フレームはリング状且つ開放口を備えたコード巻取り空間を有し、該コード巻取り空間の中央に中心軸柱を設置し、更に該コード巻取り空間の最上端より上へコード出し通路が伸び、また該位置限定フレームの下方に組立部を設置し、該組立部は中空で該コード巻取り空間に通じて納置槽を設置する前記基台と、
基台のコード巻取り空間内に設置され、当接設置する二個の巻取りローラーを含み、該二個の巻取りローラーはそれぞれ中心孔と複数の接合孔を有し、更に該中心孔にコード巻取り空間の中心軸柱を挿入設置し、また該二個の巻取りローラーの外側面にラチェットギアを設置し、該二個の巻取りローラーに当接する内側面は外周に斜面リング部を設置し、該斜面リング部には複数の噛合凸リブが順に設置される前記コード巻取りローラーユニットと、
基台の組立部内に設置され、受台と支持ローラーと底板を含み、該受台はＨ形状で、また相互に平行の二枚の立板に対応する軸孔を設置し、更に二枚の立板の間の水平板に凹槽を設置し、該支持ローラーの外周は噛合エンボスを設置し、また背部側に受動ギアを設置し、更に中心部から二個の板体の軸孔間に軸心を架設し、該底板は該組立部の底部に固設され、また該受台向きに位置限定柱を設置し、該位置限定柱は弾性部材を嵌合して用い、また該弾性部材で上へ該受台を押すことで、該支持ローラーを押し上げ、該受動ギアと該コード巻取りローラーユニットが噛合して連動状態を形成し、該支持ローラーは該二個の巻取りローラーの間に位置する前記噛合ユニットと
該位置限定フレームを設置するコード巻取り空間に共に設置され、蓋板部と回転ハンドルを有し、該蓋板部の内側表面に二個の結合柱を設置し、二個の結合柱とその中の巻取りローラーの二組の接合孔が挿入して連結され、前記手回し器によって該コード巻取りローラーユニットが連動して回転する手回し器を含むことを特徴とするカーテン用手動コード巻取り器の構造。
【請求項２】
前記コード巻取り空間は、該位置限定フレームより低い位置に第一リング体を設置し、該第一リング体の底部に切欠口が形成されて該納置槽に通じ、該手回し器の蓋板部の内側は該第一リング体に対応して第二リング体が設置され、また該第二リング体を該手回し器に組み立てる時は該第一リング体と接触しないために隙間を形成することを特徴とする請求項１に記載のカーテン用手動コード巻取り器の構造。
【請求項３】
前記コード出し通路の内径には、複数の縦方向の凸リブを設置し、またコード出し通路の下半部に当接段部を設置し、スリーブに挿入して設置することを特徴とする請求項１に記載のカーテン用手動コード巻取り器の構造。
【請求項４】
前記二個の巻取りローラーの相互に当接する壁面は、該複数の接合孔によって相互に対応する凸部と凹部が設置されることで、二個の巻取りローラーが互いに合致して連結され、更に二個の接合孔が固定部材によって固定接続されることを特徴とする請求項１に記載のカーテン用手動コード巻取り器の構造。
【請求項５】
前記中心軸柱の端部には、中心ネジ孔が設置され、また中心ネジ孔の周辺に二個の凸柱が設置され、さらに位置限定板と共に組み立て、該位置限定板は孔と二個の凹孔が設置されることを特徴とする請求項１に記載のカーテン用手動コード巻取り器の構造。
【請求項６】
前記組立部の底端に開口が形成され、また周辺に二個の組立ネジ孔が設置され、且つ該納置槽は前方を貫通して貫通孔を設置することを特徴とする請求項１に記載のカーテン用手動コード巻取り器の構造。
【請求項７】
前記噛合ユニットの受台は片側には、作動部を設置し、該作動部を該貫通孔より挿入して出し、また該底板に二個の組立孔を設置し、二個の固定部材と該組立部の底部がロックして固定され、且つ該底板は該貫通孔に対応して位置限定蓋板を設置することで、該受台は作動部によって下へ押さえ動く距離を定めることを特徴とする請求項６に記載のカーテン用手動コード巻取り器の構造。
【請求項８】
前記組立部の納置槽の内壁には、縦向槽を設置することで、該受台の立板が位置限定して組み立てられることを特徴とする請求項１に記載のカーテン用手動コード巻取り器の構造。
【考案の詳細な説明】
【技術分野】
【０００１】
本考案は、コード巻取り器に関するもので、特にカーテン用手動コード巻取り器の構造に関する。
【背景技術】
【０００２】
カーテンはリビングルームに於いて、主に遮光やプライバシーを守るために用い、リビングルームを美しく飾り、インテリアにしたりすることで、部屋のセンスを高める。現代のカーテンはシートを簡単に展開したり巻上げたりするためにコードを設置してカーテンのシートを昇降させる。
【先行技術文献】
【特許文献】
【０００３】
【特許文献１】特開平１１−３２９０２号公報
【特許文献２】特開２００８−１２５８３４号公報
【考案の概要】
【考案が解決しようとする課題】
【０００４】
解決しようとする問題点は、コードが垂れ下がる部分は風に揺れ、室内の美観を損ねる他に、コードが絡みやすく、そのためカーテンの正常操作に影響する点である。更に縦長に垂れ下がるコードの多くは堅いロープまたはチェーンであるため、子供がカーテンコードで遊んで、首を締める事故が起きやすく、使用上の危険性がある点で、従来カーテンの使用上に欠陥がある。
【０００５】
従って、本考案者は長年にわたって関係商品の製造開発と設計をしてきた経験により、上述の問題について、詳細に設計し慎重に評価した結果、問題を改善し、実用性を有する本考案を提供することにした。
【課題を解決するための手段】
【０００６】
本考案のカーテン用手動コード巻取り器の構造において、基台とコード巻取りローラーユニット、噛合ユニット、手回し器を含む。
前記基台は、台板にひょうたん状の位置限定フレームを設置してコード巻取り空間を有し、該コード巻取り空間の最上端より上へコード出し通路が伸び、該位置限定フレームの下方に組立部を設置し、該組立部は中空で該コード巻取り空間に通じて納置槽を設置し、
前記コード巻取りローラーユニットは、基台のコード巻取り空間内に設置され、当接設置する二個の巻取りローラーを含み、該二個の巻取りローラーはそれぞれ中心孔と複数の接合孔を有し、更に該中心孔にコード巻取り空間の中心軸柱を挿入設置し、また該二個の巻取りローラーの外側面にラチェットギアを設置し、該二個の巻取りローラーに当接する内側面は外周に斜面リング部を設置し、該斜面リング部には複数の噛合凸リブが順に設置され、
前記噛合ユニットは、基台の組立部内に設置され、受台と支持ローラーと底板を含み、該受台はＨ形状で、また相互に平行の二枚の立板に対応する軸孔を設置し、更に二枚の立板の間の水平板に凹槽を設置し、該支持ローラーの外周は噛合エンボスを設置し、また背部側に受動ギアを設置し、更に中心部から二個の板体の軸孔間に軸心を架設し、該底板は該組立部の底部に固設され、また該受台向きに位置限定柱を設置し、該位置限定柱は弾性部材を嵌合して用い、また該弾性部材で上へ該受台を押すことで、該支持ローラーを押し上げ、該受動ギアと該コード巻取りローラーユニットが噛合して連動状態を形成し、該支持ローラーは該二個の巻取りローラーの間に位置する。
そして、該位置限定フレームを設置するコード巻取り空間に共に設置され、蓋板部と回転ハンドルを有し、該蓋板部の内側表面に二個の結合柱を設置し、二個の結合柱とその中の巻取りローラーの二組の接合孔が挿入して連結され、前記手回し器によって該コード巻取りローラーユニットが連動して回転する手回し器を含むカーテン用手動コード巻取り器の構造である。
【０００７】
前記コード巻取り器は、市場で広く使用されるコード式カーテンに追加設置するため、消費者に最も簡単な方法で手回しのコードの調整機能を提供する。拠ってカーテンを買い替えることで費用がかさむことが避けられるだけでなく、該コード巻取り器の取り付け作業が簡単で、スピーディーであるため、消費者自身がＤＩＹで取り付けられ、構造の実用性が大幅に向上される。
また、カーテンのコードがコード巻取り器と共に使用される時、該コードは直線でカーテンのヘッドレールとコード巻取り器の間で制限されるため、コードが勝手に揺れて絡む状況が防止でき、また小さい子供が引っ張って遊ぶことで絡んだり、首に巻き付いたりする危険な状況が避けられ、カーテンのコード使用の安全性が大幅に向上することを最も主要な特徴とする。
【考案の効果】
【０００８】
本考案のカーテン用手動コード巻取り器の構造は、以下の効果がある。
該コード巻取り器は、市場で広く使用されるコード式カーテンに追加設置するため、消費者は最も簡単な方法で手回しでコードの調整機能を達成する。それはカーテンを買い替えることで費用がかさむことが避けられるだけでなく、該コード巻取り器の取付作業は簡単且つスピーディーであるため、消費者自身が取り付けられ、構造の実用性が大幅に向上すると同時に消費者の購入意欲が高まる。
【０００９】
また、カーテンのコードをコード巻取り器に設置して使用する時、該コードは直線でカーテンのヘッドレールとコード巻取り器の間で制限されるため、コードが勝手に揺れて絡む状況を防止し、また、小さい子供が引っ張って遊ぶことで絡んだり、首に巻き付いたりする危険な状況が発生することを避け、カーテンのコード使用の安全性が大幅に向上する。
【図面の簡単な説明】
【００１０】
【図１】本考案の立体図である。
【図２】本考案の分解図である。
【図３】本考案の組立断面図である。
【図４】本考案の別角度の組立断面図である。
【図５】図４のＡ−Ａ断面線の組立断面図である。
【図６】本考案の受台がコード巻取りローラーユニットを下へ押圧して遠ざける指示図である。
【図７】本考案の噛合ユニットがコード巻取りローラーユニットを遠ざけるＡ−Ａ断面指示図である。
【図８】本考案の噛合ユニットがコード巻取りローラーユニットを遠ざけるＢ−Ｂ断面指示図である。
【図９】本考案の作動状態指示図である。
【考案を実施するための形態】
【００１１】
本考案は上述の欠点を解決するため、本考案はカーテン用手動コード巻取り器の構造を提供する。
【００１２】
上記構造は、基台、コード巻取りローラーユニット、噛合ユニット、手回し器を含む。該基台は台板にひょうたん形状の位置限定フレームを設置し、該位置限定フレームはリング状で開放口のあるコード巻取り空間を形成し、該コード巻取り空間中央に中心軸柱を設置する。更に該コード巻取り空間の最上端より上へコード出し通路が伸び、また該位置限定フレームの下方に組立部を設置する。該組立部は中空で該コード巻取り空間に連通する納置槽を設置する。
該コード巻取りローラーユニットは基台のコード巻取り空間内に設置され、二個の相互に当接する巻取りローラーを含み、二個の巻取りローラーはそれぞれ中心孔と複数の接合孔があり、さらに該中心孔によってコード巻取り空間の中心軸柱に挿入設置される。また二個の巻取りローラーの外側面にラチェットギアを設置し、二個の巻取りローラーの互いに面する内側面は外周に斜面リング部を設置し、該斜面リング部は複数の噛合凸リブが順番に設置される。該噛合ユニットは基台の組立部内に設置され、受台、支持ローラー、底板を含む。該受台はＨ形状であり、また二個の相互に平行の立板に対応する軸孔を設置し、さらに二枚の立板の間の水平板に凹槽を設置する。
該支持ローラーの外周は噛合エンボスを設置し、また背部側に受動ギアを設置し、更に中心部から二個の板体の軸孔間に軸心を架設する。該底板は該組立部の底部に固設され、また該受台向きに位置限定柱を設置し、該位置限定柱は弾性部材を嵌合するのに用い、また、該弾性部材によって上へ該受台に当てることで、該支持ローラーを上へ押圧し、該受動ギアと該コード巻取りローラーユニットが噛合して連動状態を形成する。該支持ローラーは二個の巻取りローラーの間に位置し、該手回し器は該位置限定フレームのコード巻取り空間に合わせて設置され、蓋板部と回転ハンドルがある。該蓋板部の内側表面に二個の結合柱を設置し、二個の結合柱によってその中の一つの巻取りローラーの二個の接合孔に挿入連結されることで、手回し器によって該コード巻取りローラーユニットが連動して回転される。
【００１３】
良好なものとして、該コード巻取り空間は該位置限定フレームより低い位置に第一リング体を設置し、該第一リング体の底部に切欠口が形成されて該納置槽に通じる。該手回し器の蓋板部の内側は該第一リング体に対応して第二リング体を設置し、また、該第二リング体を該手回し器に組み立てる時は該第一リング体と接触しないように、隙間を備える。
【００１４】
良好なものとして、該コード出し通路の内径に複数の縦方向の凸リブを設置し、またコード出し通路の下半部に当接段部を設置し、スリーブを挿入接続する。
【００１５】
良好なものとして、二個の巻取りローラーと相互に当接する壁面は、複数の接合孔によって相互に対応する凸部と凹部を設置することで、二個の巻取りローラーが互いに合致して連結される。さらにその中の二個の接合孔が固定部材によって固定接続される。
【００１６】
良好なものとして、該中心軸柱の端部に中心ネジ孔を設置し、また中心ネジ孔の周辺に二個の凸柱を設置し、さらに位置限定板と合わせて組み立てる。該位置限定板は穿孔と二個の凹孔を設置する。
【００１７】
良好なものとして、該組立部の底端に開口が形成され、また周辺に二個の組立ネジ孔を設置し、さらに該納置槽は前方を貫通して貫通孔を設置する。
【００１８】
良好なものとして、該噛合ユニットの受台は片側に作動部を設置し、該作動部を該貫通孔から挿入して出す。また該底板に二個の組立孔を設置し、二個の固定部材と該組立部の底部を合わせて固定する。また該底板は該貫通孔に対応して位置限定蓋板を設置することで、該受台は作動部によって下へ押圧する（押さえ動く）距離を定める。
【００１９】
良好なものとして、該組立部の納置槽の内壁に縦向槽を設置することで、該受台の立板が位置限定して組み立てられる。
【実施例】
【００２０】
本考案の目的、特徴及び機能を更に詳述に説明するため、以下に図と共に実施例を挙げて詳述する。
【００２１】
まず、図１、図２と図３に示すとおり、本考案の実施例のカーテン用手動コード巻取り器の構造は、基台１０、コード巻取りローラーユニット２０、噛合ユニット３０、手回し器４０を含む。
前記基台１０は台板１１にひょうたん形状の位置限定フレーム１２を設置し、該位置限定フレーム１２にはリング状且つ開放口のあるコード巻取り空間１３が形成される。該コード巻取り空間１３中央に中心軸柱１４を設置し、該中心軸柱１４の端部に中心ネジ孔１４１を設置する。また中心ネジ孔１４１の周辺に二個の凸柱１４２を設置する。更に位置限定板１５と合わせて組み立てられ、該位置限定板１５は穿孔１５１と二個の凹孔１５２を穿設する。該コード巻取り空間１３の最上端より上へコード出し通路１６が伸び、該コード出し通路１６の内径に複数の縦方向凸リブ１６１を設置する。また、コード出し通路１６の下半部に当接段部１６２を設置し、スリーブ１６３に接続し設置する。該位置限定フレーム１２の下方に組立部１７を設置する。
該組立部１７は中空で該コード巻取り空間１３に通じて納置槽１７１を設置する。該納置槽１７１の底端に開口が形成され、またその周辺に二個の組立ネジ孔１７２を設置する。該納置槽１７１の内壁には縦向槽１７３を設置し、更に前方を貫通して貫通孔１７４を設置する。該コード巻取り空間１３の該位置限定フレーム１２より低い位置には第一リング体１３１を設置し、該第一リング体１３１の底部に切欠口が形成されて該納置槽１７１と通じる。
【００２２】
該コード巻取りローラーユニット２０は基台１０のコード巻取り空間１３内に設置され、隣接して設置される二個の巻取りローラー２１を含む。二個の巻取りローラー２１はそれぞれ中心孔２１１と複数の接合孔２１２を有し、また二個の巻取りローラー２１と当接する壁面は、該接合孔２１２によって相互に対応する凸部２１３と凹部２１４を設置することで、二個の巻取りローラー２１が互いに合致して連結される。更にその中の二個の接合孔２１２が固定部材２１５によって固着される。
また二個の巻取りローラー２１の外側面にラチェットギア２１６を設置し、二個の巻取りローラー２１に当接する内側面は外周に斜面リング部２１７を設置することで、二個の巻取りローラー２１間にＶ型リング槽２１８が形成され、該斜面リング部２１７は複数の噛合凸リブ２１９が順番に設置される。該噛合ユニット３０は基台１０の組立部１７内に設置され、受台３１、支持ローラー３２、底板３３を含む。
【００２３】
該受台３１はＨ形状で、また二個の相互に平行する立板に対応する軸孔３１１を設置し、更に二枚の立板間の水平板に凹槽３１２を設置する。該受台３１は片側に作動部３１３を設置し、該作動部３１３を該貫通孔１７４より貫通させる。該支持ローラー３２の外周は噛合エンボス３２１を設置し、また背部側に受動ギア３２２を設置する。更に中心部から二枚の立板の軸孔３１１の間に軸心３２３を架設する。
該底板３３には二個の組立孔３３１を設置し、二個の固定部材３３２と合わせて該組立部１７の底部に固定される。また該底板３３の該受台３１向きには位置限定柱３３３を設置し、該位置限定柱３３３は弾性部材３３４を嵌合して用い、また該弾性部材３３４によって上へ該受台３１を押すことで、該支持ローラー３２を押し上げ、該受動ギア３２２と該コード巻取りローラーユニット２０が噛合して連動状態を形成する。
該支持ローラー３２は二個の巻取りローラー２１の間に位置され、また該底板３３は該貫通孔１７４に対応して位置限定蓋板３３５を設置することで、該受台３１は作動部３１３によって下へ押さえ動く距離が定められる。該手回し器４０は該位置限定フレーム１２を設置するコード巻取り空間１３と共に設置され、それは蓋板部４１と回転ハンドル４２を有する。該蓋板部４１の内側表面に二個の結合柱４１１を設置し、二個の結合柱４１１によって、その中の一個の巻取りローラー２１の二個の接合孔２１２に挿入して連結され、また該蓋板部４１の内側は該第一リング体１３１に対応して第二リング体４１２を設置する。該第二リング体４１２は該手回し器４０を組み立てる時は該第一リング体１３１と接触しないように隙間を備える。
【００２４】
当該構造の組立は図２から図５に示すとおり、該コード巻取り器は基台１０に該コード巻取りローラーユニット２０、該噛合ユニット３０と該手回し器４０を順番に設置する。該コード巻取りローラーユニット２０は二個の巻取りローラー２１を斜面リング部２１７を有する側面に相互と共に組み立て、また接合孔２１２の端面に形成される凸部２１３と凹部２１４によって相互に嵌合して定位し、更に二個の固定部材２１５によって固定されることで、該コード巻取りローラーユニット２０の組み立てが完成する。二個の巻取りローラー２１の間には斜面リング部２１７によってＶ型リング槽２１８が形成され、該コード巻取りローラーユニット２０は該中心孔２１１によって該コード巻取り空間１３の中心軸柱１４に穿設される。また該中心軸柱１４の端部は位置限定板１５と共に設置し、該コード巻取りローラーユニット２０を該コード巻取り空間１３内に制限する。該噛合ユニット３０の支持ローラー３２は軸心３２３によって該受台３１両側の立板の軸孔３１１を跨ぎ設置する。該底板３３は受台３１の下方に枢設し、また該位置限定柱３３３によって弾性部材３３４を嵌合し、該受台３１の凹槽３１２に当接して制限される。
【００２５】
最後は該噛合ユニット３０を下より上へ該組立部１７の納置槽１７１内に組み入れ、該受台３１は立板によって該縦向槽１７３に沿って納置槽１７１内に組み入れ、該作動部３１３を組立部１７の貫通孔１７４外に凸設させる。更に底板３３は固定部材３３２と共に納置槽１７１の底部に固設され、該受台３１は弾性部材３３４によって押し上げられて上へ位置移動されることで、該支持ローラー３２は二個の巻取りローラー２１のＶ型リング槽２１８の間に相対して位置する。同時に該受動ギア３２２と該巻取りローラー２１のラチェットギア２１６が噛合して連動される。最後は該手回し器４０を位置限定フレーム１２のコード巻取り空間１３内に相対して設置する。第二リング体４１２は該コード巻取り空間１３に嵌入して位置し、また蓋板部４１の二個の結合柱４１１で該巻取りローラー２１の二個の接合孔２１２と嵌合して定位する。更に蓋板部４１によって開口端に当接して制限されることで、該結合柱４１１はネジ栓４１３で該巻取りローラー２１と結合して固定され、手回し器４０が回されることによって該コード巻取りローラーユニット２０が回転する。上述の構造によって、該構造の組立が完成する。
【００２６】
構造の実際の使用状態は図６から図８に示すとおりで、該コード巻取り器は基台１０によって壁面に固設され、カーテンのコード５０と共に使用される。該カーテンのコード５０は垂れ下がり且つ末端は互いに接続する円弧状であり、該噛合ユニット３０は常態下に於いて弾性部材３３４の押し上げにより該コード巻取りローラーユニット２０に当たる。該コード５０をコード巻取り器と共に使用したい時、まず該手回し器４０を基台１０より外し、次に貫通孔１７４の外に突設される作動部３１３を下へ作動させることで、該受台３１に於ける該支持ローラー３２を該コード巻取りローラーユニット２０より遠ざける。この時該コード５０をコード出し通路１６からコード巻取り空間１３内に誘導し、該コード巻取りローラーユニット２０間のＶ型リング槽２１８に巻きつけて牽引緊張状態にし、該作動部３１３を緩めると弾性部材３３４の押し上げによって上へ位置移動する。該支持ローラー３２によって該コード５０をＶ型リング槽２１８の間に噛合設置し、該受動ギア３２２は同時に該巻取りローラー２１のラチェットギア２１６に噛合される。最後に再び該手回し器４０を戻すと、該コード巻取り器とコード間の配置が完成され、該コード巻取り器はよく使われるコード式カーテンに取り付けられ、構造の実用性が大幅に向上する。
【００２７】
構造の巻取りの実際として、図３から図５と共に図９に示すとおり、該コード５０は該コード巻取りローラーユニット２０のＶ型リング槽２１８内に巻取られ、また支持ローラー３２の挟持制限を受け、該支持ローラー３２の受動ギア３２２は二個の巻取りローラー２１のラチェットギア２１６の間に噛合されるため、使用者が手回し器４０で回転作動させる時、該コード巻取りローラーユニット２０は手回し器４０の回転によって作動すると同時に該支持ローラー３２を連帯して回転する。二個の巻取りローラー２１が斜面リング部２１７の噛合凸リブ２１９と支持ローラー３２表面の噛合エンボス３２１によって該コード５０を噛合作動すると、コード５０の下への牽引と上への押圧という循環動作が形成され、コード５０を連動してカーテンの制御操作が達成される。
【００２８】
上述の具体的な実施例構造によって、以下の効果が得られる。該コード巻取り器は市場で広く使用されるコード式カーテンに別に追加設置されるため、消費者は最も簡単な追加設置方式で、手回しによるコード調整機能を達成する。カーテンを買い替えることで費用がかさむことが避けられるだけでなく、該コード巻取り器の取り付け作業は簡単で、スピーディーであるため、消費者自身がＤＩＹで取り付けられ、構造の実用性が大幅に向上されると同時に消費者の購入意欲が促進される。
【００２９】
この他、カーテンのコード５０をコード巻取り器と共に使用する時、該コード５０は直線でカーテンのヘッドレールとコード巻取り器の間で制限されるため、コード５０が勝手に揺れて絡む状況が防止され、また小さい子供が引っ張って遊ぶことで絡んだり、首に巻き付いたりする危険な状況の発生を防止し、カーテンのコード使用の安全性が大幅に向上される。
【００３０】
上述のとおり、本考案は突出した構造デザインで、考案内容は従前を改善すると同時に、産業利用性と進歩性を備える。更に本考案はすべての刊行物に於いて未見であり、また新規性を備えるため、実用新案登録申請の条件を備える。
【００３１】
以上は、本考案に係る実施例の一部に過ぎず、本考案の実施範囲を制限するものではない。即ち、本考案の請求範囲に基づく同等の変化や修飾は、すべて本考案の請求範囲に含まれるものとする。
【符号の説明】
【００３２】
１０        基台
１１        台板
１２        位置限定フレーム
１３        コード巻取り空間
１３１      第一リング体
１４        中心軸柱
１４１      中心ネジ孔
１４２      凸柱
１５        位置限定板
１５１      穿孔
１５２      凹孔
１６        コード出し通路
１６１      凸リブ
１６２      当接段部
１６３      スリーブ
１７        組立部
１７１      納置槽
１７２      組立ネジ孔
１７３      縦向槽
１７４      貫通孔
２０        コード巻取りローラーユニット
２１        巻取りローラー
２１１      中心孔
２１２      組立孔
２１３      凸部
２１４      凹部
２１５      固定部材
２１６      ラチェットギア
２１７      斜面リング部
２１８      Ｖ型リング槽
２１９      噛合凸リブ
３０        噛合ユニット
３１        受台
３１１      軸孔
３１２      凹槽
３１３      作動部
３２        支持ローラー
３２１      構造エンボス
３２２      受動ギア
３２３      軸心
３３        底板
３３１      組立孔
３３２      固定部材
３３３      位置限定柱
３３４      弾性部材
３３５      位置限定蓋板
４０        手回し器
４１        蓋板部
４１１      結合柱
４１２      第二リング体
４１３      ネジ栓
４２        回転ハンドル
【図１】
0003221450.tif 000003
【図２】
0003221450.tif 000004
【図３】
0003221450.tif 000005
【図４】
0003221450.tif 000006
【図５】
0003221450.tif 000007
【図６】
0003221450.tif 000008
【図７】
0003221450.tif 000009
【図８】
0003221450.tif 000010
【図９】
0003221450.tif 000011